(57)【特許請求の範囲】
【請求項１】
透光性の熱可塑性樹脂発泡体からなる本体の板厚方向に貫通した透視開口が複数個形成され、かつ該本体の少なくとも一方の板面から板厚中央部に向けて有底凹部が複数個形成されている断熱板と、この断熱板の両面を被覆して取り付けられ、前記透視開口を密封する透明板とを具えたことを特徴とする透光性・透視性を有する断熱日射遮蔽板。
【請求項２】
透視開口が、断面円形又は多角形に形成されて縦横に配置され、有底凹部が、透視開口より小さい断面円形又は多角形に形成されて透視開口の間隔に配置されている請求項１に記載の透光性・透視性を有する断熱日射遮蔽板。
【請求項３】
透視開口が、一方の透明板から他方の透明板へ向けて徐々に拡開状となったテーパ孔に形成されている請求項１又は２に記載の透光性・透視性を有する断熱日射遮蔽板。
【請求項４】
透光性の熱可塑性樹脂発泡体からなる本体の板厚方向に貫通した透視開口が複数個形成され、かつ該本体の少なくとも一方の板面から板厚中央部に向けて有底凹部が複数個形成されていることを特徴とする透光性・透視性を有する断熱板。
【請求項５】
透視開口が、断面円形又は多角形に形成されて縦横に配置され、有底凹部が、透視開口より小さい断面円形又は多角形に形成されて透視開口の間隔に配置されている請求項４に記載の透光性・透視性を有する断熱板。
【請求項６】
請求項１ないし３のいずれかに記載の断熱日射遮蔽板を縦長方形に形成して複数枚具え、これら断熱日射遮蔽板の隣接縁をヒンジなど連結具で連結して建物の窓の内側又は外側に該窓を被覆できるように配置したことを特徴する透光性・透視性を有する断熱日射遮蔽装置。
【請求項７】
請求項１ないし３のいずれかに記載の断熱日射遮蔽板を縦長方形に形成して複数枚具え、これら断熱日射遮蔽板の隣接縁をヒンジなど連結具で連結して建物の室内の任意の場所に間仕切用として配置したことを特徴する透光性・透視性を有する断熱日射遮蔽装置。
【発明の詳細な説明】
【０００１】
【発明の属する技術分野】
この発明は、建物の室内に差し込む日射を効果的に遮蔽することができる透光性・透視性を有する断熱日射遮蔽板及びそれを構成する断熱板並びに断熱日射遮蔽装置に関するものである。
【０００２】
【従来の技術】
従来、この種の断熱日射遮蔽装置の遮蔽体として、▲１▼カーテン、▲２▼障子又は断熱障子、▲３▼ロールブラインド、や▲４▼スリットシャッターが知られている。このうち、▲１▼ないし▲３▼は建物の窓の内側に配置され、▲４▼は建物の窓の外側に配置される。
【０００３】
ところで、前記従来の遮蔽体は日射遮蔽にはそれなりの効果が期待でき、しかも▲２▼断熱障子には気密性が、また▲４▼スリットシャッターには透視性がさらに期待できるけれども、全遮蔽時（全閉時）における透視性は期待することができず、いずれにしても透光性、透視性、気密性、日射遮蔽性など、近年、遮蔽体として要望の多い項目すべてを満たすものはなかった。
【０００４】
【発明が解決しようとする課題】
そこでこの発明は、前記のような従来の問題点を解決し、透光性は勿論、透視性、気密性、日射遮蔽性など遮蔽体として要望の多い項目すべてを満たすことができる透光性・透視性を有する断熱日射遮蔽板及びそれを構成する断熱板並びに断熱日射遮蔽装置を提供することを目的とする。
【０００５】
【課題を解決するための手段】
前記目的を達成するため、請求項１に係る透光性・透視性を有する断熱日射遮蔽板の発明は、透光性の熱可塑性樹脂発泡体からなる本体の板厚方向に貫通した透視開口が複数個形成され、かつ該本体の少なくとも一方の板面から板厚中央部に向けて有底凹部が複数個形成されている断熱板と、この断熱板の両面を被覆して取り付けられ、前記透視開口を密封する透明板とを具えたことを特徴とする。
【０００６】
請求項２に係る透光性・透視性を有する断熱日射遮蔽板の発明は、請求項１において、透視開口が、断面円形又は多角形に形成されて縦横に配置され、有底凹部が、透視開口より小さい断面円形又は多角形に形成されて透視開口の間隔に配置されていることを特徴とする。請求項３に係る透光性・透視性を有する断熱日射遮蔽板の発明は、請求項１又は２において、透視開口が、一方の透明板から他方の透明板へ向けて徐々に拡開状となったテーパ孔に形成されていることを特徴とする。
【０００７】
請求項４に係る透光性・透視性を有する断熱板の発明は、透光性の熱可塑性樹脂発泡体からなる本体の板厚方向に貫通した透視開口が複数個形成され、かつ該本体の少なくとも一方の板面から板厚中央部に向けて有底凹部が複数個形成されていることを特徴とする。請求項５に係る透光性・透視性を有する断熱板の発明は、請求項４において、透視開口が、断面円形又は多角形に形成されて縦横に配置され、有底凹部が、透視開口より小さい断面円形又は多角形に形成されて透視開口の間隔に配置されていることを特徴とする。
【０００８】
請求項６に係る透光性・透視性を有する断熱日射遮蔽装置は、請求項１ないし３のいずれかに記載の断熱日射遮蔽板を縦長方形に形成して複数枚具え、これら断熱日射遮蔽板の隣接縁をヒンジなど連結具で連結して建物の窓の内側又は外側に該窓を被覆できるように配置したことを特徴する。請求項７に係る透光性・透視性を有する断熱日射遮蔽装置は、請求項１ないし３のいずれかに記載の断熱日射遮蔽板を縦長方形に形成して複数枚具え、これら断熱日射遮蔽板の隣接縁をヒンジなど連結具で連結して建物の室内の任意の場所に間仕切用として配置したことを特徴する。
【００１０】
【発明の実施の形態】
この発明の実施の形態を図面を参照して説明する。図１は建物の窓の内側に配置された断熱日射遮蔽装置の室内側からみた正面図、図２は同上の平面図、図３は同上の側面図である。
【００１１】
１は縦長の方形に形成された断熱日射遮蔽板で、１枚単体又は隣接側縁がヒンジなど連結具２で連結された２枚１組として、複数枚配置されている。この断熱日射遮蔽板１は図４，５に詳示するように透光性断熱材料からなる本体３の板厚方向に貫通した透視開口５が複数個形成されているとともに、一方の板面と他方の板面からそれぞれ板厚中央部に向けて有底凹部６が複数個形成されている断熱板７と、この断熱板の両面を被覆して取り付けられ、透視開口５と凹部６を密封する透明板８，９とを具えている。１１，１２は断熱日射遮蔽板１の両側縁部に被着された透明樹脂製外枠で、断熱板７と透明板８を密着する役目も果たす。本体３の透光性断熱材料としては、透光性と断熱性を具えている材料であれば、特に限定はされないが、例えば熱可塑性樹脂発泡体は透光性と断熱性を具えているうえ、成形性にも優れているので、特に好ましい材料である。熱可塑性樹脂発泡体の種類としてはポリスチレン系樹脂発泡体、ポリエチレン系樹脂発泡体、ポリプロピレン系樹脂発泡体、ポリエチレンテレフタレート系樹脂発泡体などがあげられる。発泡倍率は２〜７０倍が好ましく、透光性、表面平滑性から、特に５〜２０倍が好ましい。また本体３の厚みとしては３〜５０ｍｍが好ましく、その中でも透光性と断熱性を考慮すれば１０〜３０ｍｍが特に好ましい。断熱板７の用途としては断熱日射遮蔽板１や断熱日射遮蔽装置の他にも窓（二重窓や天窓）の断熱材としても使用できる。透明板８，９の種類としては、アクリル樹脂板、ポリカーボネート樹脂板、ガラス板などがあげられる。
【００１２】
透視開口５は断面円形に、かつ透明板８（室内側）から透明板９（屋外側）に向けて徐々に拡開状となったテーパ孔に形成されて、縦横に所定間隔をおいて配置されている。透視開口５をテーパ孔に形成したのは屋外への透視性を高めるとともに、冬期に太陽光をより多く室内に入射させ、夏期にテーパ孔内で反射させて室内に直達させないようにするためである。ここに示したテーパ孔は開口方向に直線状に形成したが、必要によっては２段など段付きにしてもよい。凹部６は透視開口５より小さい断面円形に、かつ開口方向に同径孔に形成されて、透視開口５の間隔に配置されている。凹部６の深さを断熱板７の板厚の中間位置、この例では４分の１程度で止めているのは日射を受けたときに陰影が生じ、透過光だけの単調さを軽減できるようにするためである。この実施の形態では透視開口５と凹部６の断面を円形としたが、これは一例であり、方形などの多角形としてもよい。また、透視開口５と凹部６の配列や個数などや凹部６を形成する面についても、好ましい一例であり、これ以外のものとしてもよいことは言うまでもない。
【００１３】
図１ないし３は前記のような断熱日射遮蔽板１で構成された断熱日射遮蔽装置を示し、この装置によれば１枚単体又は２枚１組構成の断熱日射遮蔽板１が複数枚、建物の窓１５の内側に該窓を被覆できるように配置される。すなわち、窓１５を開閉可能に配設された２枚のガラス入りサッシ１６を挾んで、同窓の内側に複数枚の断熱日射遮蔽板１がその下部と上部に配した支持ピン１７を床等に設けた図示しないガイド部材に案内されて引き伸ばし又は折畳みにより開閉可能に配設されている。引き伸ばし又は折畳みのために連結具２のある断熱日射遮蔽板１の隣接する側縁には把手１８が設けられている。
【００１４】
図１，２に示すように、この実施の形態では断熱日射遮蔽板１が５枚で窓１５の片側半分を遮蔽し、合計１０枚で窓１５を全閉できるようになっている。そして、全開状態では両側とも全ての断熱日射遮蔽板１が連結具２を介して折り畳まれ、窓１５と直交する形に窓の片隅に収納される。全閉状態では両側とも全ての断熱日射遮蔽板１が連結具２を介して引き伸ばされ、窓１５と平行な形になって窓を遮蔽する。日射遮蔽ルーバーとして使用する状態では必要な断熱日射遮蔽板１のみ連結具２を介して全開と全閉の中間となる半開きとする。
【００１５】
前記のような断熱日射遮蔽装置によれば、全閉状態あるいは日射遮蔽ルーバーとして使用する状態において必要な日射遮蔽を確保することができる。特に冬期は太陽熱を積極的に利用するために日射遮蔽ルーバーとして使用する状態とするケースが多くなり、この状態では日射を受けて日射により温度上昇した断熱日射遮蔽板１は室温の上昇に寄与する。全閉状態においても透視開口５と凹部６により屋外からの太陽光などの透光を室内に入射させることができ、透光性に富むとともに、透視開口５により室内から屋外を透視することができる。また、断熱日射遮蔽板１が断熱板７を含むので断熱性や気密性にも優れているとともに、意匠的にもカーテンに代わり得るし、あるいはカーテンと併用できるものである。しかも開閉の操作も容易であり、操作性もよいなど、従来のものに比し、設置スペースやコストの点を除けばどの点をとっても優れている。
【００１６】
前記の実施の形態では断熱日射遮蔽装置を建物の窓１５の内側に設置したが、窓の外側に設置してもよく、あるいは間仕切用として建物の室内の任意の場所に設置してもよい。また、断熱日射遮蔽板１により窓１５を左右から遮蔽するようにしたが、左右いずれかから又は上から遮蔽するようにしてもよい。上から遮蔽する好例は窓の外側に設けられる既存のシャッターや車庫などのシャッターと同様な構造とするのがよい。この場合は手動ばかりでなく、電動でもよい。しかも、開閉も前記のような引き伸ばしと折畳み方式に限らず、アコーディオン方式でもよい。
【００１７】
【発明の効果】
この発明は前記のような構成からなるので、透光性は勿論、透視性、気密性、日射遮蔽性など遮蔽体として要望の多い項目すべてを満たすことができる、従来ない断熱日射遮蔽板及びそれを構成する断熱板並びに断熱日射遮蔽装置を提供することができるという優れた効果がある。
【図面の簡単な説明】
【図１】この発明の実施形態を示す建物の窓の内側に配置された断熱日射遮蔽装置の室内側からみた正面図である。
【図２】同上の平面図である。
【図３】同上の側面図である。
【図４】図１のＡ−Ａ線に沿う部分拡大正面図である。
【図５】図４のＢ−Ｂ線に沿う断面図である。
【符号の説明】
１  断熱日射遮蔽板
２  連結具
３  本体
５  透視開口
６  有底凹部
７  断熱板
８，９  透明板
１１，１２  外枠
１５  建物の窓
１６  ガラス入りサッシ
１７  支持ピン
１８  把手
【図１】
0003635025.tif 000002
【図２】
0003635025.tif 000003
【図３】
0003635025.tif 000004
【図４】
0003635025.tif 000005
【図５】
0003635025.tif 000006